【事件の表示】
　平成　８年特許願第１４１６２１号「投射型液晶表示装置」拒絶査定不服審判事件〔平成　９年１２月１６日出願公開、特開平　９−３２５３１３〕について、次のとおり審決する。
【結　論】
　本件審判の請求は、成り立たない。
【理　由】
１．手続の経緯
　本願は、平成８年６月４日の出願であって、原審において、平成１５年７月２２日付で拒絶理由が通知され、これに対し、同年９月２９日付で手続補正がなされたところ、平成１６年１月１５日付で拒絶査定がなされ、これに対し、同年２月１９日に拒絶査定に対する審判請求がなされるとともに、同年３月１６日付で手続補正がなされたものである。
　
２．平成１６年３月１６日付の手続補正（以下、「本件補正」という。）についての補正却下の決定
　［補正却下の決定の結論］
　　平成１６年３月１６日付の手続補正を却下する。
　［理由］
　本件補正により、特許請求の範囲の請求項１は、
「【請求項１】
　光源と、該光源からの出射光を被照射面上に照射させる作用を有する照明手段と、光を変調する液晶表示素子と、該液晶表示素子から出射した光を投射する投射手段とを有する投射型液晶表示装置において、
　前記照明手段は少なくとも１つの略楕円面形状の反射鏡と１つの略球面形状の反射鏡とを有し、
　且つ、前記照明手段は、光源側より複数のレンズが光軸に垂直に配列された第一のレンズアレイと第二のレンズアレイとを有し、
　前記第一のレンズアレイは、矩形形状を有する複数のレンズ群より構成され、該レンズ群の内の少なくとも１つのレンズの光軸は、前記矩形形状の中心とは異なる位置に存在し、
　前記第二のレンズアレイは、矩形形状とは異なる少なくとも１つの四辺形形状を有するレンズと、少なくとも１つの五角形形状を有するレンズとを含んで構成されることを特徴とする投射型液晶表示装置。」
と補正された。
　上記補正は、補正前の請求項１に記載された発明を特定するために必要な事項である「一対の電極間の放電により発光部から光を放射する光源ランプ」を、単に「光源」と上位概念化するとともに、「該球面鏡の反射面はアルミ蒸着より成り、前記光源ランプは、前記楕円面鏡と前記球面鏡とで反射される領域以外の前記光源ランプの発光部からの光を拡散反射するように保温膜を塗布した」との構成を削除することを含むものであって、特許法第１７条の２第４項第２号の特許請求の範囲の減縮を目的とするものに該当せず、また、同条同項第１，３，４号のいずれにも該当しない。
　よって、本件補正は、特許法第１５９条第１項で読み替えて準用する同法第５３条第１項の規定により却下されるべきものである。
　
３．本願発明について
　（１）本願発明
　平成１６年３月１６日付の手続補正は上記のとおり却下されたので、本願の請求項１に係る発明（以下、「本願発明」という。）は、平成１５年９月２９日付手続補正の特許請求の範囲の請求項１に記載された事項により特定される、以下のとおりのものである。
「【請求項１】
　一対の電極間の放電により発光部から光を放射する光源ランプと、該光源ランプからの出射光を被照射面上に照射させる作用を有する照明手段と、光を変調する液晶表示素子と、該液晶表示素子から出射した光を投射する投射手段とを有する投射型液晶表示装置において、
　前記照明手段は少なくとも１つの楕円面鏡と１つの球面鏡とを有し、
　該球面鏡の反射面はアルミ蒸着より成り、
　前記光源ランプは、前記楕円面鏡と前記球面鏡とで反射される領域以外の前記光源ランプの発光部からの光を拡散反射するように保温膜を塗布したことを特徴とする投射型液晶表示装置。」
　
　（２）引用例
　原査定の拒絶の理由に引用された特開平５−３２３２６８号公報（以下、「引用例」という。）には、図面とともに、
　ア．「【０００１】
【産業上の利用分野】本発明は、光源から出射される光が効率良く被照射面を明るく照らし、さらに被照射面に入射する光の角度の小さな、例えばライトバルブたる透過型の液晶表示素子上に形成される光学像を照明するのに好適な照明光学系装置、及びこの照明光学系装置を用いた液晶表示装置に関するものである。」
　イ．「【０００４】
【発明が解決しようとする課題】照明光学系の小型・高性能化のための条件のひとつとして、光源から出射される光を効率良く被照射面に集めることが挙げられる。すなわち、光源の放射する全ての光のエネルギーに対する被照射面上に照射される光のエネルギーの比率（以下、光利用効率と呼ぶ）を高くすることにより、被照射面を明るく照らすことが重要となる。一般に、照明光学系において、一定の距離に置かれたある一定の大きさを持つ被照射面を明るくする方法としては、光利用効率を高くすること以外に、照明光学系の光源自体の高出力化が考えられる。近年、上述したような照明装置あるいは表示装置に用いられている光源としてメタルハライド，キセノン，ハロゲン等の光源を用いたランプがあり、こうしたランプの明るさ等の性能および寿命が改善されて来ている。しかし、さらに高出力化した場合には、発熱などによるランプの寿命および該ランプを用いた装置の寿命，大きさ等に影響するため、ランプの高出力化は難しい。このため、照明光学系において光利用効率をできるだけ高くすることで、被照射面を明るくすることが必要である。」
　ウ．「【００１４】図１の（ａ）は、本発明による照明光学系の原理断面図を示しており、光源１から出射した光は、第１の凹面鏡２である反射鏡で反射されるか、あるいは光源１から出射した光の一部は第１の凹面鏡２で反射されることなく、集光レンズ群４の方向へ向かう。これらの光の内、その一部は図に示す様に設けられた第１の凹面鏡２で反射されない光の方向を、該第１の凹面鏡２で反射するように変える手段としての第２の凹面鏡３で反射され、また他の光は第２の凹面鏡３で反射されることなく、そのまま集光レンズ群４の方向に向かう。最終的に上記第２の凹面鏡３を経由した光も、集光レンズ群４を通過後被照射面５に照射される。なお、本発明における照明光学系において、第２の凹面鏡３の作用は集光レンズ群４が無い場合にも有効である。」
　エ．「【００１６】また、図１の（ｃ）は、本発明による照明光学系を用いた投射型表示装置の原理断面図を表しており、上記図１の（ｂ）に示したライトバルブ６による像を、投射レンズ８により拡大してスクリーン９上に投射するものである。」
　オ．「【００１８】図２は、光源以外の照明光学系を１枚の薄肉レンズとして代表させて照明光学系を模式的に表したものである。図２の（ａ），（ｂ）は、光源が点光源である場合を示し、図２の（ｃ），（ｄ）は、ある大きさを持つ光源として、光源を線光源で示したものである。」
　カ．「【００４１】図１０は、本発明による照明光学系の第２実施例を示す断面図である。本実施例は、図８に示した前記第１実施例における放物面鏡１３の替わりに、第１の凹面鏡として楕円面鏡１８を用いたものである。図１０に示すように、本実施例では、光源１は上記楕円面鏡１８の頂点側の楕円第１焦点位置近傍に置かれ、これにより、光源１において楕円面鏡１８の頂点側の楕円第１焦点位置近傍から出射し該楕円面鏡１８により反射された光は、楕円面鏡１８の光源１を設けた焦点と反対側の焦点である楕円第２焦点１９の近傍に集光される。一方、光源１を出射し楕円面鏡１８で反射されずに前記球面鏡（第２の凹面鏡）１６に入射した光は、球面鏡１６により反射され、再び光源１の方向に戻り、図８に示す第１実施例と同様に該光源１を通過し、上記楕円面鏡１８で反射され、従って楕円第２焦点１９の近傍に集光される。これにより、従来直接光として被照射面５の照射に寄与していなかった光を被照射面５の照射に用いることができ、これにより、光利用効率の良い照明光学系を得ることができる。」
　キ．「【００４２】図１１は、本発明による照明光学系の第３実施例を示す断面図である。本実施例は、上記した図１０の第２実施例において、光源１と被照射面５の間に集光レンズ群４を設けたものである。図１１における集光レンズ群４は、楕円面鏡１８および球面鏡１６により楕円第２焦点１９の近傍に集光された光を被照射面５に角度良く集める作用を有しており、これにより、図１０に示す第２実施例における被照射面５への光入射角度が補正され、光利用効率が良く、かつ、光入射角度（前記図４におけるθ）が小さい照明光学系とすることができる。さらに、上記集光レンズ群４を少なくとも１面が非球面である構成とすることにより、該非球面は、被照射面５上の輝度むら等の光むらを補正する作用を持たせることができるので、光利用効率を高くした場合にも、光のむらが少ない性能の良い照明光学系を得ることができる。」
　ク．「【００４３】図１２は、前記球面鏡１６の他の１例を示したものである。図１２に示す球面鏡１６は、前記図９に示した球面鏡１６の出射窓１７に相当する部分の穴が開いていない構造のものである。図１２における球面鏡１６は、例えばガラスにより半球中空状に製造された後、アルミニウム等の膜を内部に蒸着することにより反射面を形成するものであり、この際、図１２の斜線部で示した反射面２０の部分にのみ蒸着することにより、蒸着されない部分を光の透過する透過面２１とするようにしたものである。これにより、図９に示す出射窓１７と同等の作用があるとともに、球面鏡１６に穴を開ける等の作業が必要無くなり、さらに、光の出射窓に相当する透過面２１の大きさを上記半球中空状のガラス等を作り直すことなく調節することが可能となり、これにより、本球面鏡１６を用いる系に適したように被照射面５の明るさ及び光入射角度を調整することができる。
　ケ．「【００５１】次に、本発明による照明光学系を用いた液晶表示装置の実施例について説明する。図１６は、本発明による照明光学系を用いた液晶表示装置の第１実施例を示しており、前記した図１の（ｂ）に示した表示装置のライトバルブ６として液晶表示素子２４を用いた表示装置となっている。なお、本実施例及び後述する液晶表示装置の各実施例における光源１を含む照明光学系は、上述してきた本発明の各実施例による照明光学系となっており、その具体的な作用，効果は前記の通りであるので、それらに関する説明は重複を避けるため省略する。」
　コ．「【００５３】図１７は、本発明による照明光学系を用いた液晶表示装置の第２実施例を示している。本実施例の液晶表示装置は、図１６に示した液晶表示素子２４の光源１から出射された光が入射する側の面に、該液晶表示素子２４の画素配列の各１画素に対応する単位レンズ部からなり該液晶表示素子２４の画素配列と同一の配列を有するマイクロレンズアレイ７を設けた構成としたものである。ここで、本実施例におけるマイクロレンズアレイ７の作用を図を用いて詳細に説明する。」
　サ．「【００６５】さらに、図１６および図１７に示した実施例では、液晶表示素子を直視する所謂直視型の液晶表示装置の例を示したが、この液晶表示装置に、前記図１の（ｃ）に示すように投射レンズ８を設け、液晶表示素子の像をスクリーン９上に拡大して投射する所謂投射型表示装置としても用いることもできる。」
　シ．「【００６６】次に、本発明による照明光学系を用いた液晶表示装置の第３実施例を図２３によって説明する。本実施例の液晶表示装置は、図２３に示すように、前記した液晶表示装置の第２実施例において用いたマイクロレンズアレイ付きの液晶表示素子２４を、所謂色の３原色であるＲ（赤色），Ｇ（緑色），Ｂ（青色）の３色にそれぞれ対応して、合計３ユニット用いた３板式投射型液晶表示装置（投射型のカラー液晶表示装置）となっている。」
　ス．「【００６７】本実施例において、例えばメタルハライド，キセノン，ハロゲン等のランプを用いた光源１より出射した光線は、直接あるいは第１の凹面鏡２により反射されて、もしくは第２の凹面鏡３で反射された後第１の凹面鏡２により反射されて、熱線を反射し可視光を通過させる赤外カットフィルタ４３を通過する。この赤外カットフィルタ４３を通過した光線は、集光レンズ群４に入射した後、光軸に対してほぼ平行となる様に出射され、その後光線は、該光線の光軸に対して４５°の角度に配置されたＢ（青色）反射ダイクロイックミラー４４ａにより、Ｂの光は反射され、Ｒ（赤色）とＧ（緑色）の光は透過する。反射したＢ光線は、全反射ミラー４５によりその光路を折り曲げられて第１の液晶表示素子２４に入射される。一方、Ｂ反射ダイクロイックミラー４４ａを透過したＲ及びＧ光線は、該光線の光軸に対して４５°の角度に配置されたＧ反射ダイクロイックミラー４４ｂに入射し、該Ｇ反射ダイクロイックミラー４４ｂによりＧ光線は反射され、Ｒ光線は透過する。反射したＧ光線はそのまま第２の液晶表示素子２４に入射される。また、Ｇ反射ダイクロイックミラー４４ｂを透過したＲ光線は、全反射ミラー４５，４５によりその光路を折り曲げられて第３の液晶表示素子２４に入射される。」
　セ．「【００６８】さらに、各液晶表示素子２４の液晶２８面上に表示されるＲ，Ｇ，Ｂそれぞれに対応する画像を、Ｂ反射面４７及びＲ反射面４８を有し、かつその反射面は各色の光線の光軸に対して４５°の角度となるように構成されたダイクロイックプリズム４６によって合成し、この合成された画像を投射レンズ８によって拡大し、スクリーン９上に拡大した実像を得るように構成されている。ここで、本実施例における上記ダイクロイックプリズム４６は、各液晶表示素子２４の液晶面上に表示されるＲ，Ｇ，Ｂそれぞれに対応する画像を合成する作用をもつものであれば、これに置き換えが可能である。」
　ソ．「【００７０】図２３に示す本実施例によれば、例えば第１の凹面鏡２，第２の凹面鏡３，集光レンズ群４は前記図１１や図１５等に示した構成とし、また、平板マイクロレンズアレイを設けた液晶表示素子２４として、前記図１８または図２２に示すものを用いることにより、明るく小型でかつ性能のよい投射型の液晶表示装置を得ることができる。なお、集光レンズ群４は凹面鏡等の構成によっては無くてもよく、また、集光レンズ群４の一部あるいは全部を、Ｂ反射ダイクロイックミラー４４ａより液晶表示素子側か、あるいは第１の凹面鏡２と第２の凹面鏡３の間、すなわち第１の凹面鏡２の開口部近傍に設けても良い。なお、平板マイクロレンズアレイ及び照明光学系等の作用については既述してあり、ここではその詳細説明は省略する。」
が記載されている。
　
　これらア〜ソの記載によれば、引用例には、
「メタルハライドランプを用いた光源１と、該光源からの出射光を被照射面５に照射させる作用を持つ光源以外の照明光学系と、ライトバルブとして用いられる液晶表示素子２４と、該液晶表示素子から出射した光を投射する投射レンズ８とを有する投射型液晶表示装置であって、
　前記照明光学系は１つの楕円面鏡１８と１つの球面鏡１６とを有し、
　該球面鏡１６の反射面２０は、アルミ蒸着より成る投射型液晶表示装置。」
との発明が記載されているものと認められる。
　
　（３）対比
　そこで、本願発明と引用例に記載された発明（以下、「引用例発明」という。）とを比較する。
ａ．メタルハライドランプは、一対の電極間の放電により発光部から光を放射するものであるから（例えば、特開平８−８７０６６号公報および特開平７−３２０６９４号公報等を参照。）、引用例発明の「メタルハライドランプを用いた光源１」は、本願発明の「一対の電極間の放電により発光部から光を放射する光源ランプ」に相当し、
ｂ．引用例発明の「光源からの出射光を被照射面５に照射させる作用を持つ光源以外の照明光学系」、「ライトバルブとして用いられる液晶表示素子２４」、「液晶表示素子から出射した光を投射する投射レンズ８」は、本願発明の、「光源ランプからの出射光を被照射面上に照射させる作用を有する照明手段」、「光を変調する液晶表示素子」、「液晶表示素子から出射した光を投射する投射手段」に、それぞれ相当するから、
　両者は、
「一対の電極間の放電により発光部から光を放射する光源ランプと、該光源ランプからの出射光を被照射面上に照射させる作用を有する照明手段と、光を変調する液晶表示素子と、該液晶表示素子から出射した光を投射する投射手段とを有する投射型液晶表示装置であって、
　前記照明光学系は少なくとも１つの楕円面鏡と１つの球面鏡とを有し、
　該球面鏡の反射面は、アルミ蒸着より成る投射型液晶表示装置。」
の点で一致し、以下の点で相違している。
　
　［相違点］
　本願発明の光源ランプは、「前記楕円面鏡と前記球面鏡とで反射される領域以外の前記光源ランプの発光部からの光を拡散反射するように保温膜を塗布した」ものであるのに対し、引用例発明の光源ランプは、そのような保温膜を備えていない点。
　
　（４）判断
　電極近傍に発光部からの光を拡散反射する保温膜を設けたメタルハライドランプは、本出願前に周知のものであるから（例えば、特開平８−８７０６６号公報および特開平７−３２０６９４号公報等を参照。）、引用例発明の光源として、そのような保温膜を設けたメタルハライドランプを採用することは、当業者が適宜設計しうる事項にすぎない。そして、前記周知の保温膜を設けたメタルハライドランプを引用例発明の光源として取り付けた場合に、光源ランプから出た光のうち楕円面鏡１８と球面鏡１６とで反射される光は、保温膜で拡散反射される領域以外の光となることは、光源、保温膜、楕円面鏡、球面鏡の配置から明らかであり、これは、すなわち、上記相違点に係る構成を示すものである。
　
　また、本願発明の効果も、引用例発明および周知技術から、当業者が予測できる範囲内のものにすぎない。
　
　よって、前記相違点に係る構成は、当業者が容易に想到することができたものである。
　
　（５）むすび
　以上のとおり、本願発明は、引用例に記載された発明および周知技術に基づいて、当業者が容易に発明をすることができたものであるから、特許法第２９条２項の規定により特許を受けることができない。
　よって、結論のとおり審決する。